(57)【要約】【課題】パネル開閉式の空気調和機において、ユーザーのパネルの脱着作業が容易であると同時に、運転時には確実に前面パネルが摺動部に締結される空気調和機をコスト向上することなく実現すること。【解決手段】摺動アーム１２は、軸受け１４と係止リブ１５を備えており、一方、前面パネル７は、軸８と回動アーム１３を備え、軸８と回動アーム１３は、摺動アーム１２を挟み込んだ位置関係に配置することにより、前面パネル７の脱着作業が容易であると同時に、運転時には確実に前面パネル７が摺動部に締結される。【選択図】図１
2006170466.tif 000002
【特許請求の範囲】
【請求項１】
ケーシング本体の前面を構成する前面枠と、前記ケーシング内に熱交換器を具備し、前記前面枠の前面に配置された前面パネルが、駆動機構により駆動される摺動アームと、前記前面パネルに配置された軸で連結されており、前記摺動アームには係止リブが、前記前面パネルには回動アームが備えられ、前記前面パネルは前記軸を中心とし回転し、ある角度で開いた状態で、前記回動アームが前記係止リブに保持される構造を持つ空気調和機で、前記摺動アームを、前記軸と前記回動アームとで挟みこむ配置構成を持つことを特徴とした空気調和機。
【請求項２】
前記軸と前記回動アームによって挟み込まれた前記摺動アームの一部が、前記軸と前記回動アームの間で、Ｚ字形状で屈曲した形状を持つ事を特徴とした、請求項１に記載の空気調和機。
【請求項３】
前記前面パネルの軸を受ける摺動アームに具備された軸受けの一部が開放されていて、開放部の下端が斜め下方に傾斜した面をもつ事を特徴とした、請求項１または請求項２に記載の空気調和機。
【請求項４】
前記前面パネルを水平した状態で、前記回動アームの側面を左右方向に投影し、前記摺動アームと干渉する部分を排除した構成を持つ事を特徴とした、請求項１または請求項２に記載の空気調和機。
【請求項５】
前記前面パネルを水平状態からやや閉じた状態から前面パネルを完全に閉じた状態までに、前記回動アームの先端が、前記摺動アームの側面と接触する部分に、摺動アームの側面に凸形状で円弧状のリブを備えた事を特徴とした、請求項１または請求項２に記載の空気調和機。
【発明の詳細な説明】
【技術分野】
【０００１】
本発明は、空気調和機の室内機の前面パネルが、運転時及び停止時に開閉する機構を持つ空気調和機に関するものである。
【背景技術】
【０００２】
近年、空気調和機の室内機の薄型化および、意匠性の向上を目的とし、室内機の前面パネルが開閉する機構をもつ空気調和機が増えている。意匠性の向上として、室内空気を吸い込むために格子形状であった吸入グリルを、シンプルな印象を醸し出すために、格子形状の無いフラットなパネル形状を用いたりする。すると、室内空気の吸い込み量を確保するために熱交換器とパネルとの間隔を大きくせざるを得ず、薄型化を実現するのとは相反してしまう。
【０００３】
そこで、モーターなどの駆動装置を用いて前面パネルを開閉することで、薄型な室内機を実現しながら、運転時にパネルを開くことで、空気の吸い込み量も確保しようというものである。
【０００４】
従来、この種の空気調和機では、図７に示すように前面枠２と前面パネル７の間にベースパネル５を備えている構成がある。
【０００５】
図７において、ベースパネル５に前面パネル７がリンク機構６などを介して連結されていて、リンク機構６に駆動力がかかるとベースパネル５から前面パネル７が離れたり閉じたりする。
【０００６】
また、ベースパネル５は前面枠２と軸８を介して連結されていて、軸８を中心にして回転し、前面枠２に備えられたエアフィルターを着脱する際に、一定の角度で保持される様になっている。
【０００７】
さらに、前面パネル７および、ベースパネル５は室内空気の取り込み経路に配置していることから汚れやすい部品であるため、ベースパネル５ごと洗浄するため、前面枠２から取り外し可能な構成になっているのが普通である。
【０００８】
しかしながら、ベースパネル５と前面パネル７とは構造が複雑であるので、ユーザーがお掃除をする作業がやりにくく、また、更なる薄型化を図るためには厚さ方向の部品をできるだけ排除したいのであるが、そのためには、ベースパネルをなくすことが必要である。なお、図７中、１はケーシング、３は台枠、４は熱交換器である。
【０００９】
そこで、図８に示すように前面枠２に備えられた駆動装置１１によって駆動する摺動部１２に直接前面パネル７を軸を介して連結する構成がある。
【００１０】
図８（ａ）は、従来の空気調和機を示す断面図である。
【００１１】
図８（ａ）において、室内機のケーシング１は、前面枠１と台枠２とで分割された構成になっており、前面枠１に備えられた駆動装置１１によって駆動する摺動アーム１２を備えている。前面パネル７には、軸８と回動アーム１３を備えている。
【００１２】
摺動アーム１２は、先端に前面パネル７の軸８を挿入する軸受け１５を備え、前面パネル７はこの軸８を中心として回転する。また、摺動アームは、係止リブ１５を備えており
、前面パネル７がある一定の角度に保持されるように、前面パネル７の回動アーム１３を保持する構成になっている。
【００１３】
図８（ｂ）は従来の空気調和機の要部断面図である。
【００１４】
摺動アーム１２は可動式なので、前面枠２に対しクリアランスを持たせている。そのため、左右方向に遊びがある。さらに、前方に競りだした時は、撓みを発生するため、より、左右方向の遊びが大きくなる。そのため、軸８が軸受け１４からはずれやすく、前面パネル７が落下しやすくなっている。
【００１５】
換言すれば、前面パネル７の軸８は、前面パネル７を水平に保つ状態で、意志をもってはずすように、右あるいは左に前面パネル７を寄せると摺動部の軸受けからはずれるようにわずかな差込形状になっている。
【００１６】
前面パネルを回転可とし、一定の角度に保持する方法としては、回転中心を前面枠からはずしたものがある（例えば、特許文献１参照）。
【特許文献１】特開平９−１１９６６７号公報
【発明の開示】
【発明が解決しようとする課題】
【００１７】
しかしながら、上記の構成は、前面パネル７の軸８は取り外しできる様に摺動部の軸受けにわずかに差し込んだ状態にしている関係で、摺動部が前面枠２からせり出すと摺動部のたわみの影響で、前面パネル７の軸８が軸受けからはずれ、前面パネル７が落下しやすいという課題を有していた。
【００１８】
あるいは、前面パネル７を装着して、押し上げると軸を覆う様な別部品を摺動部にとりつける方法もあるが、コスト向上の要因となる。
【００１９】
本発明は、前記従来の課題を解決するもので、コスト向上すること無く、ユーザーの前面パネルの脱着作業を容易にしながら、装着時には確実に前面パネルが摺動部に締結される空気調和機を提供する。
【課題を解決するための手段】
【００２０】
前記従来の課題を解決するために、本発明の空気調和機は、ケーシング本体の前面を構成する前面枠と、前記ケーシング内に熱交換器を具備し、前記前面枠の前面に配置された前面パネルが、駆動機構により駆動される摺動アームと、前記前面パネルに配置された軸で連結されており、前記摺動アームには、係止リブが、前記前面パネルには、回動アームが備えられ、前記前面パネルは前記軸を中心とし回転し、ある角度で開いた状態で、前記回動アームが前記係止リブに保持される構造を持つ空気調和機で、前記摺動アームを、前記軸と前記回動アームとで挟みこむ配置構成を持つものである。
【００２１】
これによって、摺動アームを駆動し前面パネルを開く際、前面パネルの軸が摺動アームの軸受けから外れる方向に摺動アームが撓みを生じても、前面パネルの回動アームがその撓みを妨げることができ、前面パネルが容易に落下することを防止することとなる。
【００２２】
また、本発明の空気調和機は、前記軸と前記回動アームによって挟み込まれた前記摺動アームの一部が、前記軸と前記回動アームの間で、Ｚ字形状で屈曲した形状を備えたものである。
【００２３】
これによって、前面パネルの落下を防止すると同時に、軸、回動アーム、それらに挟ま
れた摺動アームの３点で構成された部分をコンパクトにすることができ、省スペースにすることが可能になる。さらに、Ｚ字形状であることは、上下抜きなどの単純な金型構成で成形可能であり、追加部品等なく、コスト向上を抑えることとなる。
【００２４】
また、本発明の空気調和機は、前記前面パネルの軸を受ける摺動アームに具備された軸受けの一部が開放されていて、開放部の下端が斜め下方に傾斜した面を持つ形状を備えたものである。
【００２５】
これによって、前面パネルを取り外して洗浄した後に、再度取り付けるときに、摺動アームの軸受けに設けられた斜め下方に傾斜した面に、前面パネルの軸が沿うようにして、摺動アームの軸受けの取付穴に導かれるので、容易に前面パネルを摺動アームに装着することが出来ることとなる。
【００２６】
また、本発明の空気調和機は、前記前面パネルを水平した状態で、前記回動アームの側面を左右方向に投影し、前記摺動アームと干渉する部分を排除した構成を備えたものである。
【００２７】
これによって、前面パネルを閉じた状態では、回動アームと摺動アームは左右方向に干渉し、ユーザーが意図しないなんらかの衝撃で前面パネルが外れることを防止する。
一方、前面パネルを、ユーザーが意図をもって洗浄の為に取り外す場合などは、ユーザーが前面パネルを水平状態に持ち上げ、さらに前面パネルを右あるいは左へ寄せることで前面枠の軸が摺動アームの軸受けから外れるようになっているが、ここでは、回動アームと摺動アームは左右方向に干渉しなくなるので、簡単に取り外しが可能になることとなる。
【００２８】
また、本発明の空気調和機は、前記前面パネルを水平状態からやや閉じた状態から前面パネルを完全に閉じた状態までに、前記回動アームの先端が、前記摺動アームの側面と接触する部分に、摺動アームの側面に凸形状で円弧状のリブを備えたものである。
【００２９】
これによって、前面パネルを水平状態からやや閉じた状態までは、回動アームと摺動アームに隙間があるため、挿入しやすく、前面パネルをやや閉じた状態から、前面パネルを完全に閉じた状態では、摺動アームの凸形状のリブが回動アームを押さえつけるため、前面パネルが完全に閉じた状態で、前面パネルの軸が摺動アームの軸受けに押さえつけられるため、前面パネルがより落下しにくくなることとなる。
【発明の効果】
【００３０】
本発明の空気調和機は、開閉式のパネル型吸入グリルにおいて、ユーザーが簡単に脱着できる簡易性と、装着時には容易に落下しない安全性を提供することが出来る。また、追加部品無く実現することができ、金型のコスト向上を抑制することが可能となる。
【発明を実施するための最良の形態】
【００３１】
第１の発明は、ケーシング本体の前面を構成する前面枠と、前記ケーシング内に熱交換器を具備し、前記前面枠の前面に配置された前面パネルが、駆動機構により駆動される摺動アームと、前記前面パネルに配置された軸で連結されており、前記摺動アームには、係止リブが、前記前面パネルには、回動アームが備えられ、前記前面パネルは前記軸を中心とし回転し、ある角度で開いた状態で、前記回動アームが前記係止リブに保持される構造を持つ空気調和機で、前記摺動アームを、前記軸と前記回動アームとで挟みこむ配置構成を持つことで、摺動アームを駆動し前面パネルを開く際、前面パネルの軸が摺動アームの軸受けから外れる方向に摺動アームが撓みを生じても、前面パネルの回動アームがその撓みを妨げることができ、前面パネルが容易に落下することを防止することとなり、ユーザーに安全性を提供することが出来る。
【００３２】
第２の発明は、特に、第１の発明の空気調和機において、前記軸と前記回動アームによって挟み込まれた前記摺動アームの一部が、前記軸と前記回動アームの間で、Ｚ字形状で屈曲した形状を備えたことにより、前面パネルの落下を防止すると同時に、軸、回動アーム、それらに挟まれた摺動アームの３点で構成された部分をコンパクトにすることができ、省スペースにすることが可能になる。さらに、Ｚ字形状であることは、上下抜きなどの単純な金型構成で成形可能であり、追加部品等なく、コストｕｐを抑えることが可能となる。
【００３３】
第３の発明は、特に、第１または第２の発明の空気調和機において、前記前面パネルの軸を受ける摺動アームに具備された軸受けの一部が開放されていて、開放部の下端が斜め下方に傾斜した面を持つ形状を備えたことにより、前面パネルを取り外して洗浄した後に、再度取り付けるときに、摺動アームの軸受けに設けられた斜め下方に傾斜した面に、前面パネルの軸が沿うようにして、摺動アームの軸受けの取付穴に導かれるので、ユーザーが前面パネルを摺動アームに簡単に装着できる簡易性を提供することが出来る。
【００３４】
第４の発明は、特に、第１または第２の発明の空気調和機において、前記前面パネルを水平した状態で、前記回動アームの側面を左右方向に投影し、前記摺動アームと干渉する部分を排除した構成を備えたことにより、前面パネルを閉じた状態では、回動アームと摺動アームは左右方向に干渉し、ユーザーが意図しないなんらかの衝撃で前面パネルが外れることを防止する一方で、前面パネルを、ユーザーが意図をもって洗浄の為に取り外す場合などは、ユーザーが前面パネルを水平状態に持ち上げ、さらに前面パネルを右あるいは左へ寄せることで前面枠の軸が摺動アームの軸受けから外れるようになっていて、回動アームと摺動アームは左右方向に干渉しなくなるので、ユーザーが簡単に取り外しが可能な操作性を提供することが可能になる。
【００３５】
第５の発明は、特に、第１または第２の発明の空気調和機において、前記前面パネルを水平状態からやや閉じた状態から前面パネルを完全に閉じた状態までに、前記回動アームの先端が、前記摺動アームの側面と接触する部分に、摺動アームの側面に凸形状で円弧状のリブを備えたことにより、前面パネルを水平状態からやや閉じた状態までは、回動アームと摺動アームに隙間があるため、挿入しやすく、前面パネルをやや閉じた状態から、前面パネルを完全に閉じた状態では、摺動アームの凸形状のリブが回動アームを押さえつけるため、前面パネルが完全に閉じた状態で、前面パネルの軸が摺動アームの軸受けに押さえつけられるため、装着時には容易に落下しない安全性をユーザーに提供することが出来る。
【００３６】
以下、本発明の実施の形態について、図面を参照しながら説明する。なお、この実施の形態によって本発明が限定されるものではない。
【００３７】
（実施の形態１）
図１は本発明の第一の実施の形態における空気調和機を示すものであり、図１（ａ）は同空気調和機の要部側面図、図１（ｂ）は同空気調和機の要部断面図である。図２は本発明の第一の実施の形態における空気調和機を示す要部分解斜視図である。なお、従来の構成と同一の構成には同一の符号を付与して説明を省略する。
【００３８】
図１および図２において、摺動アーム１２は、軸受け１４と係止リブ１５を備えており、一方、前面パネル７は、軸８と回動アーム１３を備えている。軸８と回動アーム１３は、摺動アーム１２を挟み込んだ位置関係に配置されている。
【００３９】
以上のように構成された空気調和機について、以下その動作、作用を説明する。
【００４０】
前面パネル７が閉じた状態では、回動アーム１３は摺動アーム１２の左側を押えているので、摺動アーム１２に備えられた軸受け１４から軸８が離脱することを抑えている。
【００４１】
これにより、摺動アーム１２を駆動装置１１により駆動して、前面パネル７を前方に競りでしたときに発生する摺動アーム１２の撓みを抑えることが出来る。
【００４２】
以上のように、本実施の形態においては、前面パネルが落下することを防止することとなり、ユーザーに安全性を提供することが出来る。
【００４３】
（実施の形態２）
図３は本発明の第二の実施の形態における空気調和機を示すものであり、図３（ａ）は同空気調和機の要部側面図、図３（ｂ）は同空気調和機の要部断面図である。なお、従来の構成と同一の構成には同一の符号を付与して説明を省略する。
【００４４】
図３において、軸８と回動アーム１３との間において、摺動アーム１２がＺ字を描くように屈曲形状を持たせるものである。
【００４５】
以上のように構成された空気調和機について、以下その動作、作用を説明する。
【００４６】
摺動アーム１２は、軸８と回動アーム１３によって挟まれた構成は変わらないので、前面パネルの落下を防止するこができると同時に、軸、回動アーム、それらに挟まれた摺動アームの３点で構成された部分をコンパクトにすることができる。
【００４７】
以上のように、本実施の形態においては、空気調和機の構成部品を省スペースにすることが可能になり、また、Ｚ字形状であることは、上下抜きなどの単純な金型構成で成形可能であり、追加部品等なく、コストｕｐすること無く実現することが可能となる。
【００４８】
（実施の形態３）
図４は本発明の第三の実施の形態における空気調和機を示すものであり、図４（ａ）は同空気調和機の要部側面図、図４（ｂ）は同空気調和機の要部断面図である。なお、従来の構成と同一の構成には同一の符号を付与して説明を省略する。
【００４９】
図４において、前面パネルの着脱のために軸受け１４には、軸８の径よりやや多きい幅の切り欠き１７を有している。軸受け１４は切り欠き１７の下部から斜め下方に傾斜したガイド１８を有している。
【００５０】
以上のように構成された空気調和機について、以下その動作、作用を説明する。
【００５１】
前面パネル７を取り外して洗浄した後に、再度取り付けるときに、前面パネル７の軸８を、摺動アーム１２に備えられた軸受け１４に挿入する必要があるが、前面パネル７の軸８は、摺動アーム１２の軸受け１４に設けられた斜め下方に傾斜したガイド１８に沿うようことにより、容易に摺動アーム１２の軸受け１４の取付穴に導かれることとなる。
【００５２】
以上のように、本実施の形態においては、ユーザーが前面パネルを摺動アームに簡単に装着できる簡易性を提供することが出来る。
【００５３】
（実施の形態４）
図５は本発明の第四の実施の形態における空気調和機の側面図を示すものである。
【００５４】
図５において、前面パネル７を摺動アーム１２から取り外すために、前面パネルを水平にした状態を示している。
【００５５】
この図から解る様に、摺動アーム１２は、斜線部１９を除去された構成を採っている。この斜線部１９は、回動アーム１３の側面を、摺動アームへ左右方向に投影した部分を含んでいる。
【００５６】
以上のように構成された空気調和機について、以下その動作、作用を説明する。
【００５７】
前面パネル７を閉じた状態では、回動アーム１３と摺動アーム１２は左右方向に干渉し、ユーザーが意図しないなんらかの衝撃で前面パネルが外れることは無い。
【００５８】
一方、前面パネル７を、ユーザーが意図をもって洗浄の為に取り外す場合などは、ユーザーが前面パネル７を水平状態に持ち上げ、軸を軸受けから外すために、前面パネルをさらに左方向か右方向へずらして、軸の軸受けへの引っ掛かりを離脱する必要があるが、ここでは、回動アームの側面は、摺動アームの側面と干渉しないため、簡単に離脱することができる。
【００５９】
以上のように本実施の形態においては、ユーザーが前面パネルを、摺動アームから簡単に取り外しが可能な操作性を提供することが可能になる。
【００６０】
（実施の形態５）
図６は本発明の第五の実施の形態における空気調和機を示すものであり、図６（ａ）は同空気調和機の要部側面図、図６（ｂ）は同空気調和機の要部断面図である。なお、従来の構成と同一の構成には同一の符号を付与して説明を省略する。
【００６１】
図６において、前面パネル７は、水平状態からやや閉じた状態で示されている。この状態で回動アーム１３に接触し、さらに前面パネル７を完全に閉じた状態までに、その接触部が大きくなる軸８を中心とした円弧状の凸形状リブ２０を、摺動アーム１２の側面に備えた形態を採る。
【００６２】
以上のように構成された空気調和機について、以下その動作、作用を説明する。
【００６３】
前面パネル７を水平状態からやや閉じた状態（図６（ａ）参照）までは、回動アーム１３と摺動アーム１２に隙間があるため、回動アームが摺動アームの端面２１にぶつかることが防がれる。前面パネル７を完全に閉じた状態では、摺動アーム１２に設けられた円弧状の凸形状リブ２０が回動アームを押さえつけるため、前面パネル７の軸８が摺動アーム１２の軸受け１４に押さえつけられることとなる。
【００６４】
以上のように本実施の形態においては、前面パネルが摺動アームに装着されている時には摺動アームが動作しても、前面パネルが容易に落下しない安全性をユーザーに提供することが出来る。
【産業上の利用可能性】
【００６５】
以上のように、本発明にかかる空気調和機の構造は、引き出し式で開閉を伴ない、取りはずしが必要な机や戸棚等の家具などの用途にも適用できる。
【図面の簡単な説明】
【００６６】
【図１】本発明の実施の形態１における空気調和機の要部側面図および要部断面図
【図２】本発明の実施の形態１における空気調和機の要部斜視図
【図３】本発明の実施の形態２における空気調和機の要部側面図および要部断面図
【図４】本発明の実施の形態３における空気調和機の要部側面図および要部断面図
【図５】本発明の実施の形態４における空気調和機の要部側面図
【図６】本発明の実施の形態５における空気調和機の要部側面図および要部断面図
【図７】従来の空気調和機を示す断面図
【図８】従来の空気調和機を示す断面図
【符号の説明】
【００６７】
１  ケーシング
２  前面枠
３  台枠
４  熱交換器
５  ベースパネル
６  リンク
７  前面パネル
８  軸
９  リブ
１０  リブ
１１  駆動装置
１２  摺動アーム
１３  回動アーム
１４  軸受け
１５  係止リブ
１６  Ｚ字形状
１７  切り欠き
１８  ガイド
１９  斜線部
２０  凸形状リブ
２１  端面
【図１】
2006170466.tif 000003
【図２】
2006170466.tif 000004
【図３】
2006170466.tif 000005
【図４】
2006170466.tif 000006
【図５】
2006170466.tif 000007
【図６】
2006170466.tif 000008
【図７】
2006170466.tif 000009
【図８】
2006170466.tif 000010